(57)【要約】【課題】台紙を確実に１枚ずつ取り上げて供給することのできる台紙供給装置の提供を目的とする。【解決手段】多数枚の平板状の可撓性台紙Ｐを積層状に収納し得る収納ケース４と、収納ケース４の底側に設けられた昇降可能な昇降底板５と、収納ケース４の上方に配置されたストッパー１０，１０と、昇降可能な真空パット９を備え、収納ケース４内に台紙Ｐを積層状に入れた状態で、昇降底板５を上昇させて台紙Ｐを持ち上げ、最上端の台紙Ｐ１をストッパー１０，１０に当接させ、真空パット９を下降させて、最上端の台紙Ｐ１を吸引するとともに、昇降底板５を下降させ、真空パット９を上昇させることにより、最上端の台紙Ｐ１を湾曲させて１枚のみを取り上げることができるように構成する。【選択図】　　　　図５
2004051248.tif 000002
【特許請求の範囲】
【請求項１】
多数枚の平板状の可撓性台紙を積層状に収納し得る筒状の収納ケースと、該収納ケースの底側に設けられた昇降可能な昇降底板と、前記収納ケースの上方に配置されたストッパーと昇降可能な真空パットを備え、前記収納ケース内に前記台紙を積層状に入れた状態で、前記昇降底板を上昇させて台紙を持ち上げ、最上端の台紙を前記ストッパーに当接させ、前記真空パットを下降させて最上端の台紙を吸引するとともに、前記昇降底板を下降させ前記真空パットを上昇させることにより最上端の台紙を湾曲させて１枚のみを取り上げることができるように構成したことを特徴とする台紙供給装置。
【発明の詳細な説明】
【０００１】
【産業上の利用分野】
この発明は、台紙を１枚ずつ確実に取り上げて供給できる台紙供給装置に関するものである。
【０００２】
【従来の技術及びその課題】
従来、多数枚積層状にした台紙を１枚ずつ取り上げて供給しようとすると、平板状の台紙が密着した状態の時は、各台紙の間が真空状態になっていたり、あるいは台紙端面のバリにより、または台紙表面の粘着性のために、台紙が２，３枚重ね合わされた状態で取り上げてしまうことがあり、確実に１枚の台紙のみを取り上げて供給することが困難なものとなっていた。
【０００３】
【課題を解決するための手段】
本発明は上記従来の問題点に鑑み案出したものであって、確実に台紙を１枚ずつ取り上げて供給できる台紙供給装置を提供せんことを目的とし、その要旨は、多数枚の平板状の可撓性台紙を積層状に収納し得る筒状の収納ケースと、該収納ケースの底側に設けられた昇降可能な昇降底板と、前記収納ケースの上方に配置されたストッパーと昇降可能な真空パットを備え、前記収納ケース内に前記台紙を積層状に入れた状態で、前記昇降底板を上昇させて台紙を持ち上げ、最上端の台紙を前記ストッパーに当接させ、前記真空パットを下降させて最上端の台紙を吸引するとともに、前記昇降底板を下降させ前記真空パットを上昇させることにより最上端の台紙を湾曲させて１枚のみを取り上げることができるように構成したことである。
【０００４】
【実施例】
以下、本発明の実施例を図面に基づいて説明する。
図１は、台紙供給装置の一例を示す概略構成図であり、台紙供給装置部１を構成する機台２には、筒状の台紙収納ケース４が設けられており、この台紙収納ケース４の底側の昇降底板５には、下方側に立設されたモーター駆動の上昇装置６の上端ロッド６ａが連結されており、上昇装置６のモーターが駆動することによりロッド６ａが上昇して、昇降底板５を上昇させることができるように構成されている。
なお、機台２に設けられたレール３を介して、前記台紙収納ケース４，昇降底板５等は水平移動させることができるように構成されている。
【０００５】
また、台紙収納ケース４の上方には、水平方向に移動できる横移動部材７が横設されており、この横移動部材７には、一対のストッパー１０，１０が間隔をおいて垂下状に固設されており、この一対のストッパー１０，１０間に真空パット９が配設されており、この真空パット９は昇降用シリンダ８により昇降動可能に構成されている。この真空パット９は真空装置に連繋されており、台紙を吸引することができるように構成されている。
【０００６】
台紙供給装置部１の真空パット９により１枚の台紙を取り上げ、その状態で、横移動部材７を水平方向に移動させることで、１枚の台紙を、側方の熱圧着装置部１１側へ移動させて（図示されていないが、台紙を熱圧着装置部１１側へ搬送する時、ストッパー１０，真空パット９等と、ヒータープレート部上型１３が当たらないように、ヒータープレート部上型１３の退避機構が付設されている。）、熱圧着装置部１１を構成するヒータープレート部下型１２とヒータープレート部上型１３間に、台紙（図中、Ｓで示す隙間に挿入される。）と、例えばキャリアテープ１５を送り込んで、ヒータープレート部下型１２を上昇させ、ヒータープレート部上型１３とヒータープレート部下型１２間に、台紙とキャリアテープ１５を押し付けることで、キャリアテープ１５の上面に１枚の台紙を熱圧着させることができるものである。
【０００７】
本例では、台紙は、熱圧着するために樹脂製の平板状の可撓性の台紙が使用されるものであるが、台紙供給装置部１で１枚ずつ取り上げられた台紙は、熱圧着装置部１１に限らず、台紙を必要とする種々の装置に供給できるものであり、台紙は平板状の可撓性の台紙であれば、このような台紙供給装置部１で確実に１枚ずつ取り上げて供給できるものである。
【０００８】
以下、図２〜図５において、台紙供給装置部１により１枚ずつ台紙を取り上げる動作を説明する。
前記台紙収納ケース４内には、多数枚の平板状の可撓性台紙を上下方向に積層状に入れておくことができ、この状態から、上昇装置６のモーターを作動させてロッド６ａを上昇させ、図２のように、昇降底板５を上昇させて、台紙収納ケース４内の積層された台紙Ｐを持ち上げることができ、持ち上げて、台紙Ｐの上端を一対のストッパー１０，１０の下端に当接させることができ、この状態で、昇降用シリンダ８を作動させて真空パット９を下降させ、図３のように、真空パット９で台紙Ｐの上面を吸引することができ、その状態で、図４に示すように、ロッド６ａを下降させて昇降底板５を下降させることにより、最上端側の３枚程度の台紙Ｐ１，Ｐ２，Ｐ３が、例えば台紙が密着した状態の時は、各台紙の間が真空状態になっていたり、あるいは台紙端面のバリにより、または台紙表面の粘着性のために分離しないで、重ね合わされた状態で真空パット９に吸引されて保持された状態となる。
【０００９】
この状態で昇降用シリンダ８を作動させて、図５に示すように、真空パット９を上昇させると、最上端の台紙Ｐ１は、中央部が真空パット９に吸着されて上昇し、左右側はストッパー１０，１０の下端に当接して、全体が湾曲した状態となり、この状態で、最上端の台紙Ｐ１から、その下面側に張り付いている台紙Ｐ２，Ｐ３が剥がれ落ちることとなり、最上端の１枚の台紙Ｐ１のみを確実に取り上げることができるものとなる。
【００１０】
このように図２〜図５の動作を繰り返すことで、最上端から１枚ずつ確実に台紙を取り上げて、前述した熱圧着装置部１１等へ確実に１枚ずつ台紙を供給することができるものとなり、台紙供給動作が正確かつ確実なものとなる。
なお、台紙は、紙など平板状の可撓性のあるものであれば、どのようなものでも確実に１枚ずつ取り上げて供給できるものである。
【００１１】
【発明の効果】
本発明の台紙供給装置は、多数枚の平板状の可撓性台紙を積層状に収納し得る筒状の収納ケースと、収納ケースの底側に設けられた昇降可能な昇降底板と、収納ケースの上方に配置されたストッパーと昇降可能な真空パットを備え、収納ケース内に台紙を積層状に入れた状態で、昇降底板を上昇させて台紙を持ち上げ、最上端の台紙を前記ストッパーに当接させ、真空パットを下降させて最上端の台紙を吸引するとともに、昇降底板を下降させ真空パットを上昇させることにより最上端の台紙を湾曲させて１枚のみを取り上げることができるように構成したことにより、確実に１枚ずつ台紙を取り上げて供給することができ、動作が正確なものとなる効果を有する。
【図面の簡単な説明】
【図１】台紙供給装置の一例を示す概略構成図である。
【図２】台紙供給装置の昇降底板を上昇させた状態の作動状態図である。
【図３】真空パットを下降させて最上端の台紙を吸引した状態の作動状態図である。
【図４】昇降底板を下降させた状態の作動状態図である。
【図５】さらに真空パットを上昇させて最上端の１枚の台紙のみを取り上げた状態の作動状態図である。
【符号の説明】
１　台紙供給装置部
２　機台
３　レール
４　台紙収納ケース
５　昇降底板
６　上昇装置
６ａ　ロッド
７　横移動部材
８　昇降用シリンダ
９　真空パット
１０　ストッパー
Ｐ　積層された台紙
Ｐ１　最上端の台紙
【図１】
2004051248.tif 000003
【図２】
2004051248.tif 000004
【図３】
2004051248.tif 000005
【図４】
2004051248.tif 000006
【図５】
2004051248.tif 000007